(57)【要約】      （修正有）【課題】ある楽曲が複製されてよいか否か、もしよければ、幾つの複製が許可されているのか、もしよくなければ、必要な著作権許可をどの様にして得るのかを、適切に忠告することができる著作権管理方法を提供する。【解決手段】楽曲を複製することのできる装置の集団を互いに登録することと、所有の標識および非所有の標識を含む多数の標識の中から、前記装置内に記憶されている楽曲に著作権特権に従って標識を付けることと、指定の供給元装置から指定の供給先装置へ指定の楽曲が複製されてもよいことを決定することと、前記指定の供給先装置のための前記指定の楽曲の前記標識を指示することとを具備しており、楽曲が複製されるときに供給元装置、供給先装置、供給元装置内におけるその楽曲の標識に基き、且つその供給元装置とその供給先装置とが共通に登録されているか否かに基づいて、その楽曲が供給先装置内で標識を付けられる方法を指定する。【選択図】図９
2011054176.tif 000002
【特許請求の範囲】
【請求項１】
楽曲を記憶し且つ楽曲を演奏し且つ一つのデジタルオーディオ装置から別のデジタルオーディオ装置へ楽曲を複製することのできる複数のデジタルオーディオ装置の中から、デジタルオーディオ装置の集団を互いに登録することと、
所有の標識および非所有の標識を含む多数の標識の中から、前記デジタルオーディオ装置内に記憶されている楽曲に著作権特権に従って標識を付けることと、
指定の供給元デジタルオーディオ装置から指定の供給先デジタルオーディオ装置へ指定の楽曲が複製されてもよいことを決定することと、
前記指定の供給先デジタルオーディオ装置のための前記指定の楽曲の前記標識を指示することと
を具備しており、
前記指定の供給元デジタルオーディオ装置と前記指定の供給先デジタルオーディオ装置とが互いに登録されているときには、前記指定の供給先デジタルオーディオ装置のための前記指定の楽曲の前記標識が、前記指定の供給元デジタルオーディオ装置のための前記指定の楽曲の前記標識と同一であることを指示され、前記指定の供給元デジタルオーディオ装置と前記指定の供給先デジタルオーディオ装置とが互いに登録されてはいないときには、前記指定の供給先デジタルオーディオ装置のための前記指定の楽曲の前記標識が、非所有の標識であることを指示される、デジタル音楽のための著作権管理方法。
【請求項２】
少なくとも一つの非所有の標識が試用版標識であり、非所有の標識であることの前記指定の供給先デジタルオーディオ装置のための前記指定の楽曲の前記標識の前記指示が、試用版標識であることの前記指定の供給先デジタルオーディオ装置のための前記指定の楽曲の前記標識の指示を含む、請求項１に記載の方法。
【請求項３】
前記デジタルオーディオ装置がデジタルオーディオレコーダとデジタルオーディオプレーヤとを含む、請求項１に記載の方法。
【請求項４】
少なくとも一つの所有標識が購入による所有標識である、請求項１に記載の方法。
【請求項５】
少なくとも一つの所有標識が録音による所有標識である、請求項１に記載の方法。
【請求項６】
楽曲を記憶し且つ楽曲を演奏し且つ一つのデジタルオーディオ装置から別のデジタルオーディオ装置へ楽曲を複製することのできる複数のデジタルオーディオ装置の中から、デジタルオーディオ装置の集団を互いに登録することと、
所有の標識および非所有の標識を含む多数の標識の中から、前記デジタルオーディオ装置内に記憶されている前記楽曲に著作権特権に従って標識を付けることと、
指定の供給元デジタルオーディオ装置から指定の供給先デジタルオーディオ装置へ指定の楽曲が複製されてもよいことを決定することと、
前記供給先デジタルオーディオ装置のための前記指定の楽曲の前記標識を指示することと
を具備しており、
前記指定の供給元デジタルオーディオ装置と前記指定の供給先デジタルオーディオ装置とが互いに登録されているときには、前記指定の供給先デジタルオーディオ装置のための前記指定の楽曲の前記標識が、前記指定の供給元デジタルオーディオ装置のための前記指定の楽曲の前記標識と同一であることを指示され、前記指定の供給元デジタルオーディオ装置と前記指定の供給先デジタルオーディオ装置とが互いに登録されてはいないときには、前記指定の供給先デジタルオーディオ装置のための前記指定の楽曲の前記標識が、非所有の標識であることを指示される、
方法を装置に実行させるプログラムコードを記憶している、コンピュータによる読取可能な記憶媒体。
【請求項７】
各々が楽曲を記憶し且つ楽曲を演奏し且つ一つのデジタルオーディオ装置から別のデジタルオーディオ装置へ楽曲を複製することのできる複数のデジタルオーディオ装置であって、これら複数のデジタルオーディオ装置の集団が互いに登録されている、前記複数のデジタルオーディオ装置と、
所有の標識および非所有の標識を含む多数の標識の中から、前記デジタルオーディオ装置内に記憶されている楽曲に著作権特権に従って標識を付け、指定の供給元デジタルオーディオ装置から指定の供給先デジタルオーディオ装置へ指定の楽曲が複製されてもよいことを決定し、前記供給先デジタルオーディオ装置のための前記指定の楽曲の前記標識を指示するためのデータベース管理装置であって、前記指定の供給元デジタルオーディオ装置と前記指定の供給先デジタルオーディオ装置とが互いに登録されているときには、前記指定の供給先デジタルオーディオ装置のための前記指定の楽曲の前記標識が、前記指定の供給元デジタルオーディオ装置のための前記指定の楽曲の前記標識と同一であることを指示され、前記指定の供給元デジタルオーディオ装置と前記指定の供給先デジタルオーディオ装置とが互いに登録されてはいないときには、前記指定の供給先デジタルオーディオ装置のための前記指定の楽曲の前記標識が、非所有の標識であることを指示される、前記データベース管理装置とを具備する、デジタル音楽のための著作権管理システム。
【請求項８】
少なくとも一つの非所有標識が試用版標識であり、前記指定の供給元オーディオ装置と前記指定の供給先オーディオ装置とがもし互いに登録されていなければ、前記指定の供給先デジタルオーディオ装置のための前記指定の楽曲の前記標識に試用版標識であることを前記データベース管理装置が指示する、請求項７に記載のシステム。
【請求項９】
前記デジタルオーディオ装置がデジタルオーディオレコーダとデジタルオーディオプレーヤとを含む、請求項７に記載のシステム。
【請求項１０】
少なくとも一つの標識が購入による所有の標識である、請求項７に記載のシステム。
【請求項１１】
少なくとも一つの標識が録音による所有の標識である、請求項７に記載のシステム。
【請求項１２】
媒体コンテンツを記憶し且つ一つのコンテンツ装置から別のコンテンツ装置へ媒体コンテンツを複製することができ且つコンテンツ取得装置とコンテンツプレーヤとを含むコンテンツ装置の中から、コンテンツ装置の集団を互いに登録することと、
所有の標識および非所有の標識を含む多数の標識の中から、前記コンテンツ装置内に記憶されている媒体コンテンツに著作権特権に従って標識を付けることと、
指定の供給元コンテンツ装置から指定の供給先コンテンツ装置へ指定の媒体コンテンツが複製されてもよいことを決定することと、
前記指定の供給先コンテンツ装置のための前記指定の媒体コンテンツの前記標識を指示することと
を具備しており、
前記指定の供給元コンテンツ装置と前記指定の供給先コンテンツ装置とが互いに登録され且つこれらの装置の少なくとも一つがコンテンツ取得装置であるときには、前記指定の供給先コンテンツ装置のための前記指定の媒体コンテンツの前記標識が、前記指定の供給元コンテンツ装置のための前記指定の媒体コンテンツの前記標識と同一であることを指示され、
前記指定の供給元コンテンツ装置と前記指定の供給先コンテンツ装置とが互いに登録されてはいないときには、前記指定の供給先コンテンツ装置のための前記指定の媒体コンテンツの前記標識が、非所有の標識であることを指示され、
前記指定の供給元コンテンツ装置と前記指定の供給先コンテンツ装置とが両方ともコンテンツプレーヤであるときには、前記指定の供給先コンテンツ装置のための前記指定の媒体コンテンツの前記標識が、非所有の標識であることを指示される、媒体コンテンツ著作権の管理方法。
【請求項１３】
少なくとも一つの非所有の標識が試用版標識であり、非所有の標識であることの前記指定の供給先コンテンツ装置のための前記指定の媒体コンテンツの前記標識の前記指示が、試用版標識であることの前記指定の供給先コンテンツ装置のための前記指定の媒体コンテンツの前記標識の指示を含む、請求項１２に記載の方法。
【請求項１４】
少なくとも一つの所有標識が購入による所有標識であるか、あるいは、記録による所有標識である、請求項１２に記載の方法。
【請求項１５】
前記指定の媒体コンテンツが楽曲または動画である、請求項１２に記載の方法。
【請求項１６】
媒体コンテンツを記憶し且つ一つのコンテンツ装置から別のコンテンツ装置へ媒体コンテンツを複製することができ且つコンテンツ取得装置とコンテンツプレーヤとを含むコンテンツ装置の中から、コンテンツ装置の集団を互いに登録することと、
所有の標識および非所有の標識を含む多数の標識の中から、前記コンテンツ装置内に記憶されている媒体コンテンツに著作権特権に従って標識を付けることと、
指定の供給元コンテンツ装置から指定の供給先コンテンツ装置へ指定の媒体コンテンツが複製されてもよいことを決定することと、
前記指定の供給先コンテンツ装置のための前記指定の媒体コンテンツの前記標識を指示することと
を具備しており、
前記指定の供給元コンテンツ装置と前記指定の供給先コンテンツ装置とが互いに登録され且つこれらの装置の少なくとも一つがコンテンツ取得装置であるときには、前記指定の供給先コンテンツ装置のための前記指定の媒体コンテンツの前記標識が、前記指定の供給元コンテンツ装置のための前記指定の媒体コンテンツの前記標識と同一であることを指示され、
前記指定の供給元コンテンツ装置と前記指定の供給先コンテンツ装置とが互いに登録されてはいないときには、前記指定の供給先コンテンツ装置のための前記指定の媒体コンテンツの前記標識が、非所有の標識であることを指示される、
方法を装置に実行させるプログラムコードを記憶している、コンピュータによる読取可能な記憶媒体。
【請求項１７】
各々が媒体コンテンツを記憶し且つ一つのコンテンツ装置から別のコンテンツ装置へ媒体コンテンツを複製することができ且つコンテンツ取得装置とコンテンツプレーヤとを含む複数のコンテンツ装置であって、これら複数のコンテンツ装置の集団が互いに登録されている、前記複数のコンテンツ装置と、
所有の標識および非所有の標識を含む多数の標識の中から、前記コンテンツ装置内に記憶されている媒体コンテンツに著作権特権に従って標識を付け、指定の供給元コンテンツ装置から指定の供給先コンテンツ装置のための前記指定の媒体コンテンツの前記標識を指示するためのデータベース管理装置であって、
前記指定の供給元コンテンツ装置と前記指定の供給先コンテンツ装置とが互いに登録され且つこれらの中の装置の少なくとも一つがコンテンツ取得装置であるときには、前記指定の供給先コンテンツ装置のための前記指定の媒体コンテンツの前記標識が、前記指定の供給元コンテンツ装置のための前記指定の媒体コンテンツの前記標識と同一であることを指示され、
前記指定の供給元コンテンツ装置と前記指定の供給先コンテンツ装置とが互いに登録されていないときには、前記指定の供給先コンテンツ装置のための前記指定の媒体コンテンツの前記標識が、非所有の標識であることを指示され、
前記指定の供給元コンテンツ装置と前記指定の供給先コンテンツ装置とが両方ともコンテンツプレーヤであるときには、前記指定の供給先コンテンツ装置のための前記指定の媒体コンテンツの前記標識が、非所有の標識であることを指示される、前記データベース管理装置とを具備する、媒体コンテンツ著作権の管理方法。
【請求項１８】
少なくとも一つの非所有の標識が試用版標識であり、
前記データベース管理装置が、
前記指定の供給元コンテンツ装置と前記指定の供給先コンテンツ装置とが互いに登録されていないときには、前記指定の供給先コンテンツ装置のための前記指定の媒体コンテンツの前記標識が非所有の標識であることを指示し、
前記指定の供給元コンテンツ装置と前記指定の供給先コンテンツ装置とが両方ともコンテンツプレーヤであるときには、前記指定の供給先コンテンツ装置のための前記指定の媒体コンテンツの前記標識が試用版標識であることを指示する、請求項１７に記載のシステム。
【請求項１９】
少なくとも一つの所有標識が購入による所有標識であるか、あるいは、記録による所有標識である、請求項１７に記載のシステム。
【請求項２０】
前記指定の媒体コンテンツが楽曲または動画である、請求項１７に記載のシステム。
【発明の詳細な説明】
【技術分野】
【０００１】
本発明の実施形態は、デジタル音楽の録音のための著作権管理に関するものである。
【背景技術】
【０００２】
デジタル録音を複製する装置に関する著作権法は、『１９９２年デジタル家庭オーディオ録音法』と呼ばれる合衆国法典第１７巻第１０章に述べられている。具体的に言うと、この法令は著作権登録に対する具体的な使用料の支払いを要求している。デジタルオーディオ記録装置についての使用料金はそれらの譲渡価格の２％であり、デジタルオーディオ記録媒体についての使用料金はそれらの譲渡価格の３％である。
【０００３】
インターネットサービスプロバイダーに関する著作権法は、１９９８年デジタル新時代著作権法に述べられている。
【０００４】
デジタル録音に関する著作権法を消費者は一般にある程度は知っているが、消費者がこれらの著作権法を守ることを助けるための適切な自動機構が存在していない。例えば、ＣＤによるかまたはNapsterの様なインターネット音楽共有サービスによる申込みを通して楽曲を購入する消費者は、一つ以上の自分のコンピュータに、または一枚以上のＣＤに、または一つ以上のＭＰ３プレーヤに、自分自身のためにその楽曲の個人的な複製を行うことを自分が許可されているか否かを一般に知らない。
【発明の開示】
【発明が解決しようとする課題】
【０００５】
ある楽曲が特定の用途のために複製されてよいか否か、もしよければ、幾つの複製が許可されているのか、もしよくなければ、必要な著作権許可をどの様にして得るのかを、システムが消費者にもし適切に忠告することができれば有益である。
【課題を解決するための手段】
【０００６】
本発明は、一つのデジタルオーディオ装置から別のデジタルオーディオ装置へデジタル楽曲が複製されるときに著作権特権を管理する、構成可能な方法及びシステムに関するものである。
【０００７】
一般的な設定では、デジタル楽曲は、（ｉ）特に、iTunes（登録商標）及びNapster（登録商標）の様なインターネット音楽サービス、ＣＤ及びその他の記録媒体、音楽キオスク、並びにケーブル放送局及び衛星放送局の様な音楽放送局を含む、外部供給元から入手され、その後に（ｉｉ）デジタルオーディオレコーダとデジタルオーディオプレーヤとの間で複製される。楽曲の譲渡は、結節点及び導管を有しており、結節点が水を貯蔵して導管が一つの結節点から別の結節点へ水を送る、仮想的な配水システムに、幾つかの点でたとえられるかもしれない。外部の結節点はレコード店、キオスク及びインターネット音楽サービスの様な音楽供給元を表しており、内部の結節点はオーディオレコーダ及びオーディオプレーヤを表している。
【０００８】
この配水例の中では、デジタル著作権管理は管の中の水の流れを制限する制御弁に関係している。
【０００９】
本発明の実施形態の場合には、
・デジタルオーディオ装置は互いに登録され、
・レコーダ及びプレーヤ内に記憶される楽曲は、購入、録音または試用と標識を付けられる。
【００１０】
デジタルオーディオプレーヤは、ゼロまたは一つのデジタルオーディオレコーダに登録されることが好ましい。言い換えれば、デジタルプレーヤは一つよりも多いレコーダに登録することはできないが、一つのデジタルレコーダはこのデジタルレコーダに複数のデジタルプレーヤを登録させることができる。
【００１１】
楽曲の標識は、この楽曲に関連づけられている著作権を識別するために使用されることが好ましい。試用標識は、楽曲の販売促進版つまり試用版について使用され、一般に期限切れ事象を含んでいて、この期限切れ事象の発生と同時にその楽曲は『蒸発する』つまりもはや全く演奏することができない。
【００１２】
本発明の実施形態の場合には、著作権管理は、（ｉ）供給元装置から供給先装置へ楽曲が複製されることを制限することと、（ｉｉ）楽曲が供給元装置から供給先装置へ複製されるときに−供給元装置、供給先装置、供給元装置内におけるその楽曲の標識に基き、且つその供給元装置とその供給先装置とが共通に登録されているか否かに基づいて−その楽曲が供給先装置内で標識を付けられる方法を指定することと、によって達成される。
【００１３】
更に、本発明の代替実施形態の場合には、供給元装置にある楽曲が複製を許可される回数を著作権管理が制限するかもしれない。例えば、楽曲を複数のプレーヤへ複製するためにレコーダが使用されるときに、楽曲の三回までの複製が許可されるかもしれない。
【００１４】
従って、本発明の実施形態は、オーディオ装置の製造業者がそれらの夫々の場所における法的要件に従ってデジタル著作権管理についての融通のきく論理を構成することを可能にしている。種々のその様な構成が以下の詳細な説明中に記載されている。
【００１５】
本発明の実施形態とは対照的に、従来技術のデジタル著作権管理装置は、楽曲が供給元装置から供給先装置へ複製されるときに供給元標識から供給先標識へ標識を改変するという基本的な特徴を含んでいない。その様な従来技術のデジタル著作権管理装置の一つはマイクロソフト社のWindows（登録商標） Media Rights Managerであり、これは、キーを使用してオーディオファイルを暗号化することと、キーＩＤでそのファイルをパッケージすることとによって、デジタル著作権を実行する。そのオーディオファイルを演奏するために、ユーザはライセンスを取得し、このライセンスはそのファイルを解読するためのキーを含んでいる。
【００１６】
その様な従来技術の別のデジタル著作権管理装置はアップル社のiTunes著作権管理装置であり、これは、ｉＰｏｄ音楽プレーヤが登録されていないコンピュータからそのｉＰｏｄがデジタル楽曲をダウンロードすることができない様に、コンピュータにｉＰｏｄを登録する。
【００１７】
従って、デジタルアーカイブから音楽プレーヤへ及び音楽プレーヤからデジタルアーカイブへ楽曲を複製することのできる、複数のデジタルアーカイブの中から、楽曲を記憶するデジタルアーカイブに、複数の音楽プレーヤの中から、音楽プレーヤを登録することと、音楽プレーヤが登録されているデジタルアーカイブからその音楽プレーヤが楽曲を複製することを許可することと、デジタルアーカイブに登録されている音楽プレーヤからそのデジタルアーカイブが楽曲を複製することを許可することと、音楽プレーヤが登録されていないデジタルアーカイブからその音楽プレーヤが楽曲を複製することを制限することと、デジタルアーカイブに登録されていない音楽プレーヤからそのデジタルアーカイブが楽曲を複製することを制限することとを含む、デジタル音楽のための著作権管理方法が本発明の実施形態に従って提供される。
【００１８】
楽曲のデジタルアーカイブによって、このデジタルアーカイブ内に記憶されている楽曲について、この楽曲の複製許可最高回数を保持することと、そのデジタルアーカイブ内に、その楽曲について、そのデジタルアーカイブからその楽曲を複製した音楽プレーヤの計数を記録することと、その楽曲についての上記計数がその楽曲についての複製許可最高回数にもし到達していなければ、音楽プレーヤがそのデジタルアーカイブからその楽曲を複製することを許可することと、その楽曲についての上記計数がその楽曲についての複製許可最高回数にもし到達していれば、音楽プレーヤがそのデジタルアーカイブからその楽曲を複製することを制限することとを含む、デジタル音楽のための著作権管理方法が本発明の実施形態に従って更に提供される。
【００１９】
デジタル楽曲を記憶し且つ一つのデジタルオーディオ装置から別のデジタルオーディオ装置へデジタル楽曲を複製することのできる複数のデジタルオーディオ装置の中から、デジタルオーディオ装置の集団を互いに登録することと、デジタルオーディオ装置内に記憶されているデジタル楽曲に著作権特権に従って標識を付けることと、供給元デジタルオーディオ装置から供給先デジタルオーディオ装置へ楽曲が複製されてよいか否かを判定することと、供給元デジタルオーディオ装置から供給先デジタルオーディオ装置へ楽曲が複製されるときに、その供給先デジタルオーディオ装置内におけるその楽曲の標識を指示することとを含んでおり、上記判定及び上記指示が、供給元デジタルオーディオ装置、供給先デジタルオーディオ装置及び供給元デジタルオーディオ装置内におけるその楽曲の標識に基づき、供給元デジタルオーディオ装置と供給先デジタルオーディオ装置とが互いに登録されているか否かにも基づく、デジタル音楽のための著作権管理方法が本発明の実施形態に従って更に提供される。
【００２０】
デジタルアーカイブから音楽プレーヤへ及び音楽プレーヤからデジタルアーカイブへ楽曲を複製することのできる、複数のデジタルアーカイブの中から、楽曲を記憶するデジタルアーカイブに、複数の音楽プレーヤの中から、音楽プレーヤを登録する段階と、音楽プレーヤが登録されているデジタルアーカイブからその音楽プレーヤが楽曲を複製することを許可する段階と、デジタルアーカイブに登録されている音楽プレーヤからそのデジタルアーカイブが楽曲を複製することを許可する段階と、音楽プレーヤが登録されていないデジタルアーカイブからその音楽プレーヤが楽曲を複製することを制限する段階と、デジタルアーカイブに登録されていない音楽プレーヤからそのデジタルアーカイブが楽曲を複製することを制限する段階とを、装置に実行させるプログラムコードを記憶している、コンピュータによる読取可能な記憶媒体が本発明の実施形態に従って更に提供される。
【００２１】
楽曲のデジタルアーカイブによって、このデジタルアーカイブ内に記憶されている楽曲について、この楽曲の複製許可最高回数を保持する段階と、そのデジタルアーカイブ内に、その楽曲について、そのデジタルアーカイブからその楽曲を複製した音楽プレーヤの計数を記録する段階と、その楽曲についての上記計数がその楽曲についての複製許可最高回数にもし到達していなければ、そのデジタルアーカイブから音楽プレーヤがその楽曲を複製することを許可する段階と、その楽曲についての上記計数がその楽曲についての複製許可最高回数にもし到達していれば、そのデジタルアーカイブから音楽プレーヤがその楽曲を複製することを制限する段階とを、装置に実行させるプログラムコードを記憶している、コンピュータによる読取可能な記憶媒体が本発明の実施形態に従って更に提供される。
【００２２】
デジタル楽曲を記憶し且つ一つのデジタルオーディオ装置から別のデジタルオーディオ装置へデジタル楽曲を複製することのできる複数のデジタルオーディオ装置の中から、デジタルオーディオ装置の集団を互いに登録する段階と、デジタルオーディオ装置内に記憶されているデジタル楽曲に著作権特権に従って標識を付ける段階と、供給元デジタルオーディオ装置から供給先デジタルオーディオ装置へ楽曲が複製されてよいか否かを判定する段階と、供給元デジタルオーディオ装置から供給先デジタルオーディオ装置へ楽曲が複製されるときに、その供給先デジタルオーディオ装置内におけるその楽曲の標識を指示する段階とを、装置に実行させ、上記判定及び上記指示が、供給元デジタルオーディオ装置、供給先デジタルオーディオ装置及び供給元デジタルオーディオ装置内におけるその楽曲の標識に基づき、供給元デジタルオーディオ装置と供給先デジタルオーディオ装置とが互いに登録されているか否かにも基づく、プログラムコードを記憶している、コンピュータによる読取可能な記憶媒体が本発明の実施形態に従って更に提供される。
【００２３】
楽曲を記憶する複数のデジタルアーカイブと、少なくとも幾つかがデジタルアーカイブに登録されている複数の音楽プレーヤであってデジタルアーカイブから音楽プレーヤへ及び音楽プレーヤからデジタルアーカイブへ楽曲を複製することのできる上記複数の音楽プレーヤと、デジタルアーカイブ内に収容されており、音楽プレーヤがそのデジタルアーカイブにもし登録されていればその音楽プレーヤがそのデジタルアーカイブから楽曲を複製することを許可し、音楽プレーヤがそのデジタルアーカイブにもし登録されていればそのデジタルアーカイブがその音楽プレーヤから楽曲を複製することを許可し、音楽プレーヤがそのデジタルアーカイブにもし登録されていなければその音楽プレーヤがそのデジタルアーカイブから楽曲を複製することを制限し、音楽プレーヤがそのデジタルアーカイブにもし登録されていなければそのデジタルアーカイブがその音楽プレーヤから楽曲を複製することを制限する、著作権管理装置とを具備する、デジタル音楽のための著作権管理システムが本発明の実施形態に従って更に提供される。
【００２４】
楽曲のデジタルアーカイブを含んでおり、このデジタルアーカイブ内に記憶されている楽曲について楽曲の複製許可最高回数を保持し、このデジタルアーカイブからその楽曲を複製した音楽プレーヤの計数を記録する、データベース管理装置と、その楽曲についての上記計数がその楽曲についての複製許可最高回数にもし到達していなければ音楽プレーヤがこのデジタルアーカイブからその楽曲を複製することを許可し、その楽曲についての上記計数がその楽曲についての複製許可最高回数にもし到達していれば音楽プレーヤがこのデジタルアーカイブからその楽曲を複製することを制限する、著作権管理装置とを、上記デジタルアーカイブが含む、デジタル音楽のための著作権管理システムが本発明の実施形態に従って更に提供される。
【００２５】
複数のデジタルオーディオ装置を含んでおり、これら複数のデジタルオーディオ装置の各々がデジタル楽曲を記憶し且つ一つのデジタルオーディオ装置から別のデジタルオーディオ装置へデジタル楽曲を複製することができ、上記デジタルオーディオ装置の集団が互いに登録される、デジタル音楽のための著作権管理システムが記載されている。デジタルオーディオ装置内に記憶されているデジタル楽曲に著作権特権に従って標識を付け、供給元デジタルオーディオ装置から供給先デジタルオーディオ装置へ楽曲が複製されてよいか否かを判定し、その供給元デジタルオーディオ装置からその供給先デジタルオーディオ装置へ楽曲が複製されるときにその供給先デジタルオーディオ装置内における楽曲の標識を指示する、データベース管理装置が備えられている。上記判定及び上記指示は、供給元デジタルオーディオ装置、供給先デジタルオーディオ装置及び供給元デジタルオーディオ装置内におけるその楽曲の標識に基づき、供給元デジタルオーディオ装置と供給先デジタルオーディオ装置とが互いに登録されているか否かにも基づく。
【００２６】
本発明は、図面と共に解釈されれば、以下の詳細な説明からより十分に理解され且つ認識される。
【発明を実施するための最良の形態】
【００２７】
デジタル音楽プレーヤは、ＭＰ３プレーヤの様な独立形消費者電子装置として、携帯情報端末（ＰＤＡ）や携帯電話の様な携帯装置内の付属構成部として、及び家庭内ネットワーク装置として、急増しつつある。聴取者は一般にデジタル楽曲の自分自身の個人的なライブラリを作成し、これらのデジタル楽曲はハードディスクドライブやリムーバブルメモリカードの様な記憶装置に記憶される。デジタル楽曲は、一般に、申込みサービス及びピアツーピア交換を経由するインターネットを通して、または、コンパクトディスク（ＣＤ）から楽曲を変換してこれらの楽曲をＭＰ３ライブラリ内へインポートすることによって、入手される。レコード業界に使用料を支払うサービスを通してデジタル音楽ファイルを合法的に入手しなければ、これらのファイルの入手は著作権の侵害になるかもしれない。
【００２８】
デジタル楽曲は、一般に、オーディオデータと、メタデータと呼ばれて聴取者のライブラリ内の楽曲に索引を付けるために使用される補助データとを、含んでいる。例えば、ＭＰ３ファイル内ではメタデータはＩＤ３タグを介してアクセスされ、ＷＭＡファイルはファイル内にまたファイル名自体内にもメタデータを埋め込んでいる。楽曲に索引を付けることによって、聴取者は自分のライブラリを検索してその中の個々の楽曲にアクセスすることができる。一般に、オーディオプレーヤはユーザがメタデータを見るユーザインタフェースを備えている。
【００２９】
著作権問題を除いて、デジタル音楽ライブラリを作成することは多くの時間及び作業を必要とする。一般に、聴取者は、興味のある一つ以上の楽曲を見つけようとして最初にインターネットを検索し、次にこれらの楽曲の在処を識別し、それからこれらの楽曲をメディアプレーヤに関連づけられているデータベース中へダウンロードする。楽曲は一般にＭＰ３やＷＭＡの様な標準形式に従ってフォーマットされているデジタルファイルとして記憶される。楽曲が一旦ダウンロードされると、聴取者はコンピュータ上でそれらの楽曲を演奏するためにWindows（登録商標） Media PlayerやWinampの様なソフトウェアを一般に使用するか、またはその代わりに聴取者はｉＰｏｄ（登録商標）やＭＰ３プレーヤの様な楽曲を演奏するハードウェア装置にそれらの楽曲を複製する。
【００３０】
デジタル音楽の世界における欠点は、あつらえの音楽ライブラリを家庭で作成するために必要とされる多大な努力である。しばしば、個人は、自分達の好みの楽曲をダウンロードして自分達自身の個人的な音楽ライブラリを作成することに、引き続いて数夜を費やす。代替手段は他人によって準備されたライブラリを購入することであるが、他の誰かのライブラリはしばしば聴取者の好みに合わず、聴取者は自分自身の好みの楽曲を集めることを好む。
【００３１】
聴取者が自分の好みの楽曲を聞くための人気のある供給元は、音楽放送局にある。ケーブル放送、衛星放送、及びインターネットは、殆ど総てのジャンルの音楽−クラシック音楽、ロックンロール、ジャズ、８０年代の音楽、その他−に音楽チャンネルを提供する。聴取者は、その様な放送サービスに加入することによって自分の好みに従って音楽を楽しむことができる。
【００３２】
本発明の実施形態は、聴取者が、音楽放送局から放送される楽曲を、自分のデジタル音楽ライブラリに索引を付けるために必要とされるその楽曲のメタデータと共に、自分のライブラリへ自動的に複製及びインポートすることを可能にする。本発明の実施形態を使用すれば、聴取者は、検索及び引出しのために総てが適切に索引を付けられている何万もの自分の選択による楽曲の大きなデジタル音楽ライブラリを殆ど難なく自動的に作成することができる。更に、本発明の実施形態の追加的な特徴は、音楽放送局で放送される楽曲の中からどの楽曲が聴取者のライブラリへインポートされるべきであるかを、特にジャンル、楽曲タイトル、アーチスト、アルバム及び楽曲の長さを含む一つ以上の基準に基づいて、聴取者が選択することを可能にする。
【００３３】
音楽放送局から放送される楽曲を複製することは、テレビ番組をＶＣＲに複製することと類似している。著作権法は、消費者の家庭へ放送されるテレビ番組を消費者が自分のＶＣＲへ複製することを許可している。しかし、音楽放送局からの生オーディオの記録は、その様な楽曲を識別し且つこれらの楽曲をデジタル音楽ライブラリ内へ組み入れるために必要なメタデータを提供しないので、楽曲を自動的に複製するための技術はもっと複雑である。更に、楽曲は音楽放送局で連続的に、一般に合間での中断なしに、演奏されるので、各楽曲を他の楽曲から分離しなければならない。
【００３４】
本発明の実施形態は、ケーブル放送局及び衛星放送局によって放送される音楽チャンネルからデジタル音楽ライブラリを自動的に作成する方法及びシステムに関係している。本発明の一つの実施形態の場合には、放送楽曲は、個々の楽曲に索引を付け且つアクセスするために及び楽曲が演奏されている間を表示するために必要なメタデータと共に、デジタル音楽ライブラリ中へ記録される。本発明の実施形態を使用すれば、放送音楽から生成されたデジタル音楽ライブラリは、十分な検索能力及びアクセス能力を有する、個々の楽曲の大きなライブラリとして機能する。
【００３５】
本発明の実施形態は、下記に説明されている様に、各放送楽曲をデジタル音楽ライブラリ中へ自動的にデジタル的に記録し、且つジャンル、楽曲タイトル、アーチスト及びアルバムタイトルに従って各楽曲に自動的に索引を付けることを、聴取者に可能にさせるシステムを提供する。更に、本発明の実施形態は、総ての放送楽曲を記録するのではなく、特にジャンル、楽曲タイルまたはアーチストを指定することによって、自動的に記録されるべき楽曲をフィルターにかけることを、聴取者に可能にさせる。本発明の実施形態のシステムが動作中に聴取者が居合わせる必要はない。従って、大きな楽曲ライブラリの自動生成を本発明の実施形態が可能にすることが分かるであろう。
【００３６】
本発明の実施形態は、本明細書中で『ネスト』と呼ばれており、コンピュータと、ＭＰ３プレーヤ及びその他のデジタル音楽プレーヤと、並びに、特に携帯電話、ＰＤＡ、家庭内ネットワーク装置及びインターネット装置を含む、ＭＰ３プレーヤまたはその他のデジタル音楽プレーヤを内部に含むその他の電子装置と、インタフェースすることのできる、プログラム可能な装置を具備している。第一実施形態では、ネストは衛星受信機／ケーブル受信機に連結されており、第二実施形態では、ネストはテレビに連結されており、第三実施形態では、ネストはＵＳＢ接続及びＦｉｒｅｗｉｒｅ接続を経由して種々の外部コンポーネントに連結されている。
【００３７】
総ての実施形態において、デジタル音楽ライブラリを記憶するメモリは、ネスト自身の中に位置している大きなハードディスクか、またはコンパクトディスク及びメモリカードの様な一つ以上のもっと小さなリムーバブル記憶装置か、またはハードディスクとリムーバブル記憶装置との組み合わせか、の何れかであることができる。大きなハードディスクの利点は、ことごとく検索及びアクセスすることのできる単一のライブラリに聴取者の音楽ライブラリが統合されるということである。コンパクトディスクの様なリムーバブル記憶装置の利点は、ＭＰ３プレーヤの様な携帯プレーヤ中へ聴取者がそのディスクを挿入することができるということである。４０曲が平均的に１２８ＭＢのデータを必要として１時間半の聴取に相当する量を含むと仮定すると、大きな８０ＧＢのハードディスクは約２万５６００曲のライブラリを保持することができ、６４０ＭＢのコンパクトディスクは約２００曲つまり約７時間の聴取に相当する量を保持することができる。
【００３８】
では、本発明の実施形態に従うネスト１００の正面図である図１に言及する。ネスト１００はその前面パネルが開いている状態で示されている。ネスト内へコンテンツを追加するために、ＣＤプレーヤの様な補助オーディオ装置及び補助ビデオ装置を接続するために使用されることが好ましい、雌型左アナログ音声入力コネクタ１１０及び雌型右アナログ音声入力コネクタ１２０と、雌型アナログ映像入力コネクタ１３０とが、前面パネルの左側にある。外来のＭＰ３プレーヤをネストに接続するために使用されることが好ましい雌型ＵＳＢソケット１４０、１５０と、ネストをコンピュータネットワークに接続するためのものであることが好ましい雌型イーサネット（登録商標）コネクタ１６０と、アナログステレオ音声出力をヘッドホンに供給するために使用されることが好ましいミニジャックソケット１７０とが、前面パネルの右側にある。
【００３９】
本発明の実施形態の場合には、本明細書中で『エッグ』と呼ばれている携帯デジタル音楽プレーヤへ、ネストに記憶されているデジタル音楽ライブラリから楽曲をローディングするために、一つ以上の携帯デジタル音楽プレーヤをネストに接続することができ、本明細書中で『受け台』とも呼ばれている、一つ以上の交換ポート１８０をネストが含んでいる。その様な交換ポートは、フィルム缶形状のエッグが挿入される円形ポートまたは楕円形ポートであってよい。ネストの受け台中へエッグが差し込まれている間にエッグが楽曲を『装填』されてよい。
【００４０】
では、本発明の実施形態に従うエッグ２００の側面図である図２に言及する。現在演奏中の楽曲についてのメタデータを表示するパネル２１０と共にエッグ２００が示されている。図２中に見ることができる様に、このメタデータは、タイトル（『風に吹かれて』）、作者（『ボブ・ディラン』）及びアルバム（『ボブ・ディランの最高ヒット集』）を含んでいる。
【００４１】
では、本発明の実施形態に従う、図２のエッグ２００の底面図である、図３に言及する。エッグの底は、エッグとネストとの間でアナログ音声及びアナログ映像を転送するためのものであることが好ましい雌型音声／映像コネクタ２１０と、エッグとネストとの間で、エッグと『充填機構』キオスクとの間で、並びにエッグと別のエッグとの間で、デジタルデータを転送するためのものであることが好ましい雌型ＵＳＢコネクタ２２０とを、含んでいる。コネクタ２１０、２２０に対応して、雄型アナログ音声／映像コネクタと雄型ＵＳＢコネクタと（図１中には示されていない）を、ネストの受け台が含んでいる。
【００４２】
ネスト及びエッグの典型的な使用法の概要は以下の通りである。聴取者は、好ましくはThe Music Choice（登録商標）の様な広告放送のないラジオ放送局からの特定の音楽チャンネルに、自分のケーブル受信機ボックスまたは衛星受信機ボックスを設定して、その音楽チャンネルから楽曲を得るためにネストを作動させる。ネストは、デジタル音楽ライブラリを自動的に作成して、放送された楽曲をそのデジタル音楽ライブラリへインポートする。その後、聴取者は、ネストの受け台中へエッグを差し込んで、選択した楽曲をその音楽ライブラリからエッグへダウンロードする。ネストが聴取者のスピーカシステムにもし接続されていれば、聴取者はネストからあちこちの部屋のスピーカへ音楽を送ってもよい。ネストが家庭内ネットワークにもし接続されていれば、ネストと一緒に作動することを許可されているコンピュータへ聴取者は音声を流してよい。
【００４３】
エッグがネストに接続されているときにネストがエッグへ楽曲をダウンロードすることができることに加えて、エッグ内に記憶されている楽曲をネストが取り除くこともできることが好ましい。従って、エッグの記憶がもし満杯であれば、新しい組の楽曲をエッグがダウンロードするためにネストはそのエッグから楽曲を取り除くことができる。
【００４４】
本発明の実施形態のエッグは、ネストに加えてその他の供給元からデジタル音楽を受け取ってよい。従って、購入前に楽曲を聞いてその後に購入するために使用される、音楽流通店内にある音楽キオスクの様なキオスクと、エッグは両立できるであろう。エッグがネストに接続されているときは、その他の装置から受け取られてそのエッグ内に記憶されているデジタル音楽はネストに保管することができることが好ましい。
【００４５】
エッグはそのＵＳＢコネクタを介して制御コマンドを受け取ってよい。具体的に言うと、
・ネストに接続されているときは、次の楽曲へ進むためのコマンドの様な制御コマンドをネストがエッグに出してよく、
・住宅の部屋内におけるエッグ用の結合機構の様な結合機構に接続されているときは、この結合機構は、ユーザによって出される赤外線コマンドを受け取ってこれらのコマンドをＵＳＢコネクタ上のエッグへの制御コマンドに変換してよい。
【００４６】
では、本発明の実施形態に従う、図１のネストから図２のエッグ中へ楽曲を複製するためのグラフィカルユーザインタフェース（ＧＵＩ）の説明図である、図４に言及する。図４中に示されているＧＵＩは、ネストに接続されているテレビまたはその他の表示装置上に表示されて、赤外線制御装置の様な遠隔制御装置の使用を通して対話されることが好ましい。それで、図４のＧＵＩは簡単な方向ボタン及び選択ボタンによるナビゲーションを意図されている。
【００４７】
図４に示されているＧＵＩは、デジタル音楽ライブラリを編成してプレイリスト−即ち、ネストから演奏するための−またはエッグからの再生のためにエッグへ複製するための楽曲の連なり−を作成するために使用される。
【００４８】
著作権管理
本発明の強化された実施形態は、デジタル著作権管理を組み入れている。本発明の実施形態に従うと、エッグは高々一つのネストにしか登録されず、下記に説明されている様に、あるネストに登録されているエッグしかそのネストから販売促進用ではない楽曲を借り出す権利を有していない。一般に、ネストはそのネストに複数のエッグを登録させることができる。
【００４９】
本発明の実施形態に従うと、ネスト内またはエッグ内の楽曲は、『購入』、『録音』または『試用』と標識を付けられる。『購入』楽曲は消費者によって代金を支払われた楽曲である。購入楽曲は、特に、iTunes（登録商標）またはNapster（登録商標）の様なインターネットサービスを通して購入された楽曲、キオスクを通して購入された楽曲、及び購入されたＣＤから複製されてＭＰ３の様な形式へ変換された（『抽出・変換された』）楽曲を含んでいる。『録音』楽曲は、ケーブル音楽放送局または衛星音楽放送局から消費者用に録音された楽曲を含んでいる。『試用』楽曲は、消費者に無料で提供されてやがては期間切れになる販売促進版つまり試用版の楽曲である。消費者がその様な楽曲をもし聞き続けたれば、その消費者はその楽曲の購入版または録音版を入手しなければならない。
【００５０】
試用楽曲の期限切れは、特に、３０日間の様な固定期間後、またはその楽曲の固定再生回数後に生じる。期限切れと同時に、試用楽曲は、全く演奏しなくなるかもしれず、その楽曲の間引き標本抽出版またはその楽曲の出だしのみを演奏するかもしれず、代わりにその楽曲の購入方法を説明するメッセージを演奏するかもしれず、さもなければその楽曲の購入を可能にする。
【００５１】
試用楽曲という標識は、この楽曲を購入することができる情報センターとして機能する一つ以上のウェブサイトに対するＵＲＬまたはその他のその様な識別子を含んでいることが好ましい。
【００５２】
本発明の実施形態に従うと、ネスト内に既に含まれている楽曲とネスト内にまだ含まれていない楽曲とのリストを、そのネストが含んでいる。例えば、特定のアーチストによる特定のアルバムからのある楽曲がそのネスト内に含まれているときはいつも、同じアルバムからのその他の楽曲または同じアーチストによるその他の楽曲をそのリストが含んでいる。ネスト内に録音された楽曲は、録音と標識を付けられる。ネスト内に含まれていないその他の楽曲は、消費者による要求時に、試用版としてそのネストにダウンロードできることが好ましい。楽曲の試用版を聴取した後に、その消費者はそのネストを使用してその楽曲を購入するかもしれず、その時にはその購入された楽曲は購入と標識を付けられる。録音、購入または試用とその様に楽曲に標識を付けることは、その楽曲に関連づけられている著作権を識別するのに役立つ。
【００５３】
ネストからこのネストに登録されているエッグへ、またはエッグからこのエッグが登録されているネストへの様に、互いに登録されている二つの装置のうちの一方の装置から他方の装置へ楽曲が複製されるときには、この楽曲の標識が維持されること、つまり、供給先装置上の楽曲の標識が供給元装置上の楽曲の標識に設定されること、が好ましい。例えば、ネストからこのネストに登録されているエッグへ、そしてまたその同じネストに登録されている別のエッグへ、試用楽曲がもし複製されれば、その楽曲はそれら二つのエッグ上で試用と標識を付けられる。同様に、キオスクから楽曲を購入するためにあるエッグがもし使用され、その後にこのエッグが登録されているネストへその楽曲が複製されれば、そのエッグ上とそのネスト上とでその楽曲は購入と標識を付けられる。
【００５４】
エッグがネストに登録されていなくて、ネストからエッグへまたはエッグからネストへの様に、互いに登録されていない二つの装置のうちの一方の装置から他方の装置へ楽曲が複製されるときには、供給元装置上でのその楽曲の標識に拘らず、その楽曲は供給先装置上で試用と標識を付けられることが好ましい。
【００５５】
表１は供給先装置上での楽曲の著作権標識付けをまとめている。
【表１】
2011054176.tif 000003
【００５６】
表１の論理は、何れの二つの装置もこれらが共通に登録されているか否かを判定することができることを仮定している。例えば、製造時点で登録情報がネスト及びエッグにもし組み込まれていれば、この能力を達成することができる。
【００５７】
表１の論理に加えて、ネストまたはエッグを使用して、ユーザが情報センターから楽曲をもし購入すれば、これらのネスト内またはエッグ内における楽曲の標識は夫々試用から購入へ変えられる。
【００５８】
本発明の第一の代替実施形態では、あるエッグがネストに登録されているか否かを、そのネストは直ちに判定することができるが、あるエッグがネストに登録されているか否か、またはそのエッグと別のエッグとがその同じネストに登録されているか否かを、そのエッグは直ちには判定することができない。このことは、例えば、エッグの製造後に複数のネストのうちの何れか一つに自分自身を登録する能力をそのエッグがもし有していれば、生じる。この後者の場合には、供給元エッグから供給先エッグへ楽曲が複製されるときはいつも、その供給先エッグ内でその楽曲が試用と標識を付けられる様に、表１の論理が修正される。従って、供給先装置上での楽曲の著作権標識付けは表２に従う。
【表２】
2011054176.tif 000004
【００５９】
この第一の代替実施形態では、第一のネストに登録されているエッグは第二のネストに再登録されてよい。その様な場合には、そのエッグは第一のネストにはもはや登録されていない。エッグを再登録することができる回数には制限があり、エッグが自分自身を最高回数まで再登録した後は、そのエッグは更なる再登録を妨げられる、ということが好ましい。
【００６０】
本発明の第二の代替実施形態では、購入楽曲と録音楽曲との区別が無視され、両方が『所有』楽曲として識別される。この第二の代替実施形態では、供給先装置上での楽曲の著作権標識付けは表３に従う。
【表３】
2011054176.tif 000005
【００６１】
更に本発明の第三の代替実施形態では、複数のエッグの各々がネストに登録されているそのネストからそれら複数のエッグへ楽曲を複製することが制限される。この第三の代替実施形態には、他の実施形態よりも精巧な論理がある。この論理を最もよく説明するために、楽曲の『借り出し』及び『返却』という用語が以下の様に使用される。ネストからエッグへ楽曲をダウンロードするためにそのエッグがそのネストに接続されているときは、これは本明細書中では楽曲の『借り出し』と呼ばれる。エッグ内に記憶されている楽曲を取り去るためにそのエッグがネストに接続されているときは、これは本明細書中では楽曲の『返却』と呼ばれる。
【００６２】
放送楽曲を録音するためにネストが動作中に、ケーブル音楽放送局または衛星音楽放送局から同じ楽曲が複数回放送され得ることがしばしばある。本発明の実施形態の場合には、各録音楽曲についての計数をネストが記憶し、ネストのアーカイブに既に録音されている放送楽曲にネストが遭遇すると上記計数が増加される。従って、その様な計数は、ネストが録音中にその録音楽曲が放送された総回数に対応し、今後はmax_permitted_copiesと表示される。例えば、ネストがMusic
Channelから録音中にMusic Channelで録音楽曲がもし五回再生されれば、その様な楽曲についてはmax_permitted_copies=5である。
【００６３】
録音楽曲についてのmax_permitted_copies計数は、その楽曲の借り出しをネストが許可する異なるエッグの数を制限するために使用される。例えば、ある録音楽曲についてもしmax_permitted_copies=5であれば、高々五つの異なるエッグしかそのネストからその楽曲を借り出すことができない。つまり、そのアーカイブ内の各録音楽曲について、ネストが各楽曲についての計数を記憶し、エッグがその楽曲を借り出すときにその計数が増加される。その様な計数は、その楽曲を借り出したエッグの数に対応しており、今後はnumber_copies_checked_outと表示される。例えば、もし三つのエッグが同じ録音楽曲をそのネストから借り出したのであれば、その様な楽曲についてはnumber_copies_checked_out=3である。
【００６４】
本発明の実施形態に従うと、エッグがネストに録音楽曲を返却すると、それによってそのエッグからその楽曲が取り除かれ、number_copies_checked_out計数が減少される。例えば、録音楽曲とこの楽曲を借り出してその後にこの楽曲を返却するエッグとについてもしnumber_copies_checked_out=3であれば、その様な楽曲についてはnumber_copies_checked_outは２へ減少される。
【００６５】
では、図１のネスト１００が音楽を録音中に同じ楽曲が放送された回数を記録するための、本発明の実施形態に従う方法の簡略化された流れ図である図５に言及する。動作５１０において、ネストによって現在録音中のケーブル放送局または衛星放送局から放送中の楽曲を、ネストが識別する。動作５２０において、ネストのデジタルアーカイブ内にその楽曲が既に記憶されているか否かをネストが判定する。その楽曲がもし既に記憶されていれば、動作５３０において、max_permitted_copiesをネストが一だけ増加させる。その楽曲がもしまだ記憶されていなければ、動作５４０において、ネストはその楽曲についてはmax_permitted_copies=1で且つその楽曲についてはnumber_copies_checked_out=0に初期化する。動作５５０において、ネストのデジタルアーカイブ内にその録音楽曲とそのメタデータとをネストが記憶する。
【００６６】
では、図１のネスト１００から図２のエッグへ録音音楽を『借り出す』ための、本発明の実施形態に従う方法の簡略化された流れ図である図６に言及する。動作６１０において、ネストの受け台に接続されているエッグがそのネストからそのエッグへ録音楽曲を複製することを要求する。動作６２０において、そのエッグがそのネストに登録されているか否かをネストが判定する。そのエッグがそのネストにもし登録されていれば、動作６３０において、その要求された楽曲についてnumber_copies_checked_outがmax_permitted_copiesよりも小さいか否かをネストが判定する。もし小さければ、動作６４０において、その楽曲についてのnumber_copies_checked_outをネストが一だけ増加させ、動作６５０において、そのネストからそのエッグへこのエッグがその楽曲を複製することをネストが許可する。
【００６７】
動作６２０において、そのエッグがそのネストに登録されていないとネストがもし判定するか、または動作６３０において、number_copies_checked_outがmax_permitted_copiesに等しいとネストがもし判定すれば、その録音楽曲についてのエッグの要求は動作６６０において拒否される。この拒否の代わりに、その録音楽曲が試用版としてエッグに複製され且つ試用と標識を付けられてもよい。
【００６８】
では、図２のエッグから図１のネストへ録音音楽を『返却する』ための、本発明の実施形態に従う方法の簡略化された流れ図である図７に言及する。動作７１０において、ネストの受け台に接続されているエッグは録音楽曲を返却することを要求する。動作７２０において、そのエッグがそのネストに登録されているか否かをネストが判定する。もし登録されていれば、動作７３０において、そのネストのデジタルアーカイブ内にその楽曲が既に存在しているか否かをネストが判定する。もし存在していれば、動作７４０において、その楽曲についてのnumber_copies_checked_outをネストが一だけ減少させ、動作７５０において、そのエッグからその楽曲を削除する様にネストがエッグに命令する。
【００６９】
動作７２０において、そのエッグがそのネストに登録されていないとネストがもし判定すれば、その楽曲を返却するというエッグの要求は動作７６０において拒否される。この拒否の代わりに、その楽曲が試用版としてネストに複製され且つ試用と標識を付けられてもよい。動作７３０において、その楽曲がそのデジタルアーカイブ内に現在のところ存在していないとネストがもし判定すれば、このことはキオスクの様な別の供給元からそのエッグがその楽曲を入手したことを示している。それで、動作７７０において、ネストはその楽曲についてはmax_permitted_copies=1で且つその楽曲についてはnumber_copies_checked_out=0に初期化する。動作７８０において、エッグからネストのデジタルアーカイブ内へその楽曲とそのメタデータとをネストが複製する。
【００７０】
この実施形態中において第一のエッグから第二のエッグへ録音楽曲が複製されるときには、たとえこれら第一及び第二のエッグが共に同じネストに登録されていても、その楽曲は第二のエッグにおいて試用と標識を付けられることが好ましい。
【００７１】
購入楽曲も、max_permitted_copies=1と設定することによって、複数のエッグへ複製することを同様の論理で制限されてよい。
【００７２】
概括的に言うと、供給元装置に存在する楽曲が供給先装置へ複製するのに必要な許可を有しているか否か、もし有していれば、その供給先装置へ複製されるときにその楽曲はどの様に標識を付けられるべきであるか、を指定している規則によって、本発明の実施形態が全般的なデジタル著作権形態を支援することが、今や当業者に分かるであろう。その様な規則は、
関数mayBeCopied(srcDeviceType, trgtDeviceType,
isRegistered, srcDeviceLabel)及び関数trgtLabel(srcDeviceType,
trgtDeviceType, isRegistered, srcLabel)に具現されてよく、
ここで、srcDeviceType及びtrgtDeviceTypeは装置特有パラメータであり、
srcDeviceTypeは、特にネスト及びエッグを含む、デジタル楽曲が存在している供給元装置の型式を示しており、
trgtDeviceTypeは、特にネスト及びエッグを含む、デジタル楽曲が複製されることになっている供給先装置の型式を示しており、
ここで、isRegisteredは一対の装置に特有であり、
isRegisteredは、供給元装置と供給先装置とが共通に登録されているか否かを示しており、
ここで、srcLabel及びtrgtLabelは、共に楽曲特有パラメータ及び装置特有パラメータであり、
srcLabelは、特に録音、購入及び試用、またはその代わりに、所有及び試用を含む、供給元装置における楽曲の標識を示しており、
trgtLabelは、特に録音、購入及び試用、またはその代わりに、所有及び試用を含む、供給先装置における楽曲の標識を示しており、
ここで、mayBeCopiedは、供給元装置から供給先装置へ楽曲が複製されてよいか否かを示している。
【００７３】
もっと概括的に言うと、上記に説明されている様に、関数mayBeCopied()及び関数trgtLabel()は、追加パラメータmax_permitted_copies及び追加パラメータnumber_copies_checked_outを有していてよく、ここで、max_permitted_copies及びnumber_copies_checked_outは、共に楽曲特有パラメータ及び装置特有パラメータであり、
max_permitted_copiesは、その装置から許可されているその楽曲の最高複製回数を示しており、
number_copies_checked_outは、その装置から行われたその楽曲の現在の複製回数を示している。
【００７４】
その代わりに関数mayBeCopied()及び関数trgtLabel()が表またはその他のデータ構造として具現されてよいことが、当業者に分かるであろう。
【００７５】
では、本発明の実施形態に従うデジタル著作権管理システムの簡略化されたブロック図である図８に言及する。図８には、データベース管理装置８１０及び著作権管理装置８１５を含む、供給元装置８０５が示されている。データベース管理装置８１０は、デジタル楽曲とそれらに関連づけられているメタデータとを記憶するデータベース８２０を制御することが好ましい。上記に説明されている様に、その楽曲が購入されたのか、録音されたのかまたは試用であるのかを示す、各楽曲についての標識を、メタデータが含んでいることが好ましい。一つ以上の楽曲についてのmax_permitted_copies及びnumber_copies_checked_outをも、メタデータが任意的に含んでいてよい。それらの楽曲、それらの標識、並びにそれらのmax_permitted_copiesパラメータ及びnumber_copies_checked_outパラメータは、データベース管理装置８１０を介してアクセス可能である。
【００７６】
データベース８２０内の結合することのできる一つ以上のデータベーステーブル内に、デジタル楽曲及びそれらのメタデータが記憶されてよいことが、当業者に分かるであろう。その代わりに、バイナリ楽曲データが、データベース８２０外のメモリ位置に記憶されて、データベース８２０内のアドレスエントリーによって指し示されてよい。その代わりにデータベース８２０が複数のデータベースとして構築されてよいことも分かるであろう。
【００７７】
図８には、自分自身のデータベース管理装置８３０、著作権管理装置８３５、及びデータベース８４０を含む、供給先装置８２５も示されている。
【００７８】
供給元装置８１０に存在する楽曲が供給先装置８２５の様な特定の供給先装置に複製されてよいか否かを、著作権管理装置８１５が判定する。楽曲の複製がもし許可されれば、供給先標識と呼ばれて供給先装置の楽曲用に使用される標識を、著作権管理装置８１５が更に決定する。本発明の実施形態に従うと、著作権管理装置８１５は、（ｉ）供給元装置８０５の型式、（ｉｉ）供給先装置８２５の型式、（ｉｉｉ）供給元装置８０５における楽曲の標識、及び（ｉｖ）供給元装置８０５におけるその楽曲についてのmax_permitted_copiesパラメータ及びnumber_copies_checked_outパラメータを、その決定の根拠にする。著作権管理装置８１５は、上記に説明されているmayBeCopied()及びtrgtLabel()の様な関数を実行することが好ましい。
【００７９】
著作権管理装置８１５が供給先標識を決定した後、この著作権管理装置はその楽曲とその供給先標識とを供給先装置８２５へ送る。供給先装置８２５は、そのデータベース８４０にその楽曲を追加し、供給先標識に従ってデータベース８４０内のその楽曲に標識を付けることが好ましい。
【００８０】
図８には、楽曲を購入するための情報センター８４５も示されている。供給元装置８０５及び供給先装置８２５は情報センター８４５から直接に楽曲を購入してよい。供給元装置８０５にも供給先装置８２５にも現在のところ存在していない楽曲については、それらの楽曲を購入する装置へこれらの楽曲を情報センター８４５が送ることが好ましい。供給元装置８０５または供給先装置８２５に現在のところ存在していて試用と標識を付けられている楽曲については、楽曲の標識を試用から購入へ変更する許可を供給元データベース管理装置８１０または供給先データベース管理装置８３０へ情報センター８４５が送ることが好ましい。ユーザが楽曲の権利を購入することを可能にしてそのユーザの支払いを確認する取引処理装置８５０を、情報センター８４５が含んでいることが好ましい。取引処理装置８５０によってユーザが楽曲の購入を完了すると同時に、情報センター８４５は、適切に、その楽曲をユーザの装置へ送るか、またはその楽曲の標識を変更する許可をユーザの装置へ送る。
【００８１】
本発明の実施形態に従うと、ユーザがもし所望すれば後日に購入版に変換することのできる楽曲の試用版も、情報センター８４５が自由に配布する。
【００８２】
ケーブル会社または衛星会社の様な販売する楽曲についての配布特権を有している実体によって情報センター８４５が運営されることが好ましい。
【００８３】
では、本発明の実施形態に従うデジタル著作権管理システムについての簡略化された流れ図である図９に言及する。見て分かる様に、図９は二列に分割されており、最左列は供給元装置８０５（図８）の様な供給元オーディオ装置によって行われる動作を示しており、最右列は供給先装置８２５の様な供給先オーディオ装置によって行われる動作を示している。
【００８４】
動作９１０において、供給元装置から楽曲が複製されることを供給先装置が要求する。動作９２０において、供給元装置がその要求を受け取って供給先装置を識別する。詳細に言うと、供給先装置の型式と供給元装置及び供給先装置が互いに登録されているか否かとを、供給元装置が判定する。
【００８５】
動作９３０において、その要求された楽曲についての標識と、その要求された楽曲についてのmax_permitted_copiesパラメータ及びnumber_copies_checked_outパラメータとを、供給元装置が判定する。この情報はデータベース８２０（図８）の様な供給元装置データベース内に含まれていることが好ましい。動作９４０において、その楽曲を複製することをその供給先装置が許可されているか否かを供給元装置が判定する。その様な判定は、著作権管理装置８１５の様な供給元装置内の著作権管理装置によって行われることが好ましい。その供給元装置からその楽曲を複製することをその供給先装置が許可されていないことが動作９４０においてもし判定されれば、動作９５０において供給元装置が複製要求を拒否する。そうではなくその供給元装置からその楽曲を複製することをその供給先装置が許可されていることが動作９４０においてもし判定されれば、動作９６０において、供給先装置内の楽曲にどの様に標識を付けるかを供給元装置が決定する。その様な決定も、著作権管理装置８１５の様な著作権管理装置によって行われることが好ましい。
【００８６】
動作９７０において、供給元装置は要求された楽曲及びその標識を供給先装置へ送り、動作９８０において、供給先装置は要求された楽曲をそのデータベースへ複製しその要求された楽曲に適宜に標識を付ける。
【００８７】
上記の説明を読めば、説明された方法及びシステムに適用することのできる多くの明白な変形があると、当業者は理解するであろう。従って、楽曲及びオーディオ装置について上記に説明されている構成可能な論理は、動画装置及びビデオ装置、並びにその他の型式の媒体及び媒体装置にも適用可能である。
【００８８】
供給元装置から供給先装置へ及び情報センターから装置への楽曲の転送は、単一の楽曲についてだけではなくアルバム全体の様な一群の楽曲で行われてもよい。更に、装置は互いに『ホットシンク』されていてよい。例えば、エッグ内の楽曲でネストが定期的に更新される様に、有線通信または無線通信を使用してエッグがネストにホットシンクされていてよい。
【００８９】
以上の明細書中では、本発明がその特定の具体的な実施形態に関連して説明された。しかし、本発明のもっと広い精神及び範囲から逸脱することなくその特定の具体的な実施形態に種々の修正及び変更が行われてよいことは明白であろう。従って、明細書及び図面は、制限的な意味よりも説明的な意味で考察されるべきである。
【図面の簡単な説明】
【００９０】
【図１】『ネスト』と呼ばれている、本発明の実施形態に従うデジタルアーカイブの正面図である。
【図２】『エッグ』と呼ばれている、本発明の実施形態に従う音楽プレーヤの側面図である。
【図３】本発明の実施形態に従う、図２の音楽プレーヤの底面図である。
【図４】図１のデジタルアーカイブから図２の音楽プレーヤ中へ楽曲を複製するための、本発明の実施形態に従うユーザインタフェースの説明図である。
【図５】図１のデジタルアーカイブから図２の音楽プレーヤへ楽曲を『借り出す』ための、本発明の実施形態に従う方法の簡略化された流れ図である。
【図６】図２の音楽プレーヤから図１のデジタルアーカイブへ楽曲を『返却する』ための、本発明の実施形態に従う方法の簡略化された流れ図である。
【図７】図１のデジタルアーカイブが音楽を録音中に同じ楽曲が放送された回数を記録するための、本発明の実施形態に従う方法の簡略化された流れ図である。
【図８】本発明の実施形態に従うデジタル著作権管理システムの簡略化されたブロック図である。
【図９】本発明の実施形態に従うデジタル著作権管理システムについての簡略化された流れ図である。
【図１】
2011054176.tif 000006
【図２】
2011054176.tif 000007
【図３】
2011054176.tif 000008
【図４】
2011054176.tif 000009
【図５】
2011054176.tif 000010
【図６】
2011054176.tif 000011
【図７】
2011054176.tif 000012
【図８】
2011054176.tif 000013
【図９】
2011054176.tif 000014